(57)【特許請求の範囲】
【請求項１】
空気を注入して膨らませた弾性部材から成るボールのボールカバーであって、該ボールの外側を被ってボールを保持する袋状の保持部と、該保持部に連接した四角形状の舌片部とから成り、該舌片部の上に人が座ることが可能に形成され、保持部と舌片部は変形自在のシート状体で形成されていることを特徴とするボールカバー。
【請求項２】
ボールは球状であって該ボールの上にバランスを取りながら座ることが出来るボールであることを特徴とする請求項１記載のボールカバー。
【請求項３】
シート状体は織物地又は編み物地から成る布地であることを特徴とする請求項１又は請求項２記載のボールカバー。
【発明の詳細な説明】
【技術分野】
【０００１】
本発明は、空気を注入して膨らませた弾性部材から成るボールのボールカバーに関し、特には、ボールの外側を被ってボールを保持する保持部が所謂座椅子の背もたれ部と成って、人がこれを利用して座位を取ることが出来るように成ると共に、横臥位、仰臥位等の多様な姿勢を取ることが出来、さらには該多様な姿勢を取りながらストレッチやエクササイズ（運動）を行うことが出来るボールカバーに関する。
【背景技術】
【０００２】
従来、空気を注入して膨らませた弾性部材から成るボールであって、該ボールが球状であってこの上にバランスを取りながら座る等の姿勢を取りながらストレッチやエクササイズを行うことが出来るボールがある。しかしながら、該ボールの上でバランスを取りながらストレッチを行い、またエクササイズを行うには、体重をボールに預けた状態で体を動かすため、体が不安定に成り易く時にはバランスを崩してボール上から落下したり、またボール上で安定を保ちながらエクササイズを続けるには、一定程度以上の運動能力や習熟が必要であるという課題があった。特に高齢者や障害者が家庭等で該ボールを使用してストレッチやエクササイズを行うことは難しいという課題があった。またボールは弾性部材から成るため、夏は汗でべた付いたり冬は皮膚に密着して冷たいという感覚があり、ストレッチやエクササイズを行う際の爽快感が不足する場合があるという課題があった。
【０００３】
これらの課題に対して、可塑性材質から成る空気が充填可能なエアクッションを有し、該エアクッションに水平状の支持部及び該支持部の周縁を覆う球面が設けられると共に、該球面と支持部との間に密閉状の空気充填空間が設けられ、更に、該支持部の内面に、支持部を支持する支持板が設置されることを特徴とする運動用バランス器具が提案されている（特許文献１）。
【０００４】
また、空気を注入して膨らませた弾性部材から成るボールであり且つ該ボールの上に人がバランスを取りながら座ることができるボールを配した座椅子として、背もたれが座面に対し起伏自在に連結された緩衝材を有する座椅子において、座面と緩衝材入り補助具が薄型緩衝材入り連結部をはさんで接続し、また、ボールを配置することができるように、座椅子に取り付け具を設け、この取り付け具に留めることができるフック付きゴムバンドでボールを半固定できるようにしたことを特徴とする座椅子が提案されている（特許文献２）。
【先行技術文献】
【特許文献】
【０００５】
【特許文献１】実用新案登録第３１０２６７７号公報
【特許文献２】特開２００８−２５９７９１号公報
【０００６】
しかしながら、特許文献１に係る運動用バランス器具は、水平状の支持部上に球面が形成された半球状の形状をしているため、その上に座る等の姿勢でバランスを取りながらストレッチを行ったりエクササイズを行うことについては安全性が向上していても、あくまでその材質は可塑性材質から成るため、該器具を使用してストレッチやエクササイズを行う際には、夏は汗でべた付いたり冬は皮膚に密着して冷たいという感覚があり、ストレッチやエクササイズを行う際の爽快感が不足する場合があるという課題が残っていた。また半球状の形状であっても、例えば畳やカーペット等の滑りやすい床面の上では、ストレッチやエクササイズを行う際に少しづつ該運動用バランス器具が移動してしまうという課題がある。さらには該運動用バランス器具は水平状の支持部及び支持板が一定の大きさを有しているため、例えば空気を抜いても小さく折りたたむことは難しく、従って販売及び収納の際に場所を取ると共に携帯にも不便であるという課題がある。
【０００７】
また、特許文献２に示される座椅子は、全体として一般的な背もたれと座面を有する座椅子の形状を有し、該座椅子にボールを配置することが出来る取り付け具を設けた構造となっているため、該座椅子にボールを取り付けた場合、人がこれを使用して長時間座位を取ることが出来ても、その他の横臥位、仰臥位等の多様な姿勢は取ることが出来ないという課題がある。特に取り付けられたボールは剥き出しに成っているため、材質上、夏は汗でべた付き、冬は冷たく感じ肌触りが良くないという課題がある。また、該特許文献２に記載のストレッチやボール運動はあくまで座位若しくは崩した座位の状態でしか出来ないという課題がある。さらには、座椅子の基本構造は比較的大きなものであるため、収納には場所を取ると共に携帯持ち運びには不便であるという課題がある。加えて、該座椅子の座面の底面は硬い平面であるため、これを配置させて使用する場所は比較的硬い略水平状の床面に限られるという課題がある。
【発明の概要】
【発明が解決しようとする課題】
【０００８】
本発明が解決しようとする課題は、長時間楽に座位を取ることが出来ると共に、横臥位、仰臥位等の多様で楽な姿勢を取ることができ、これらの姿勢を取っている時でも直接肌がボールに接しないためべた付いたり冷たく感じたりすることが無く、また、多様な姿勢でストレッチやエクササイズを行うことができると共に該エクササイズを行っても本発明のボールカバー及びボールカバーに保持されているボールが移動することが無く、さらには、小さく折り畳む等が可能で携帯持ち運びに便利であると共に、比較的硬い略水平状の床面だけでなくベッドや布団等の柔らかい面の上に配置させても使用することが出来るボールカバーを提供することにある。
【課題を解決するための手段】
【０００９】
請求項１記載の発明は、空気を注入して膨らませた弾性部材から成るボールのボールカバーであって、該ボールの外側を被ってボールを保持する袋状の保持部と、該保持部に連接した四角形状の舌片部とから成り、該舌片部の上に人が座ることが可能に形成され、保持部と舌片部は変形自在のシート状体で形成されていることを特徴とするボールカバーを提供する。
【００１０】
また、請求項２記載の発明は、ボールは球状であって該ボールの上にバランスを取りながら座ることが出来るボールであることを特徴とする請求項１記載のボールカバーを提供する。
【００１１】
また、請求項３記載の発明は、シート状体は織物地又は編み物地から成る布地であることを特徴とする請求項１又は請求項２記載のボールカバーを提供する。
【発明の効果】
【００１２】
本発明のボールカバーは、空気を注入して膨らませた弾性部材から成るボールの外側を被ってボールを保持する保持部が所謂座椅子の背もたれ部と成り、保持部に連接した舌片部を床面等に置いてその上に座ることにより、ボールがあらぬ方向に転がって移動することなく長時間楽に座位を取ることが出来る効果がある。このため、高齢者や障害のある人が容易に使用することが出来る効果がある。特に背もたれ部となる保持部は、その内側に弾性部材から成るボールがあるため、使用者の背中の起伏に沿ってフィットし背中を全体として柔らかく支える状態となり、その座位の姿勢は心地が良いという効果がある。また座位の際の背中の角度は、舌片部に座している臀部の位置を前後に自在に変えることで好みの角度に保持することが出来る効果がある。さらには、座位の姿勢から保持部の内側に保持されているボールの曲面に沿って背中を伸ばしながら伸身させることで座りながら大きくストレッチすることが出来る効果がある。勿論舌片部に座す際には、座布団等のクッションに成るものを介してもよい。
【００１３】
また、これらの座位の姿勢の他、舌片部に臀部を置きながら体側面をボールの形状に変形している保持部に沿わせ、腕をボールの上部となる位置に載せることにより横臥位の姿勢を取ることが出来、さらには舌片部に背中を接し、両足のふくらはぎ部分をボールの上部位置にある保持部に載せることにより仰臥位の姿勢を取ることが出来るという効果がある。特に、仰臥位の姿勢の際には、弾性部材から成るボールの反発力を利用してふくらはぎ部分を片足ずつ交互に上下に弾ませることで、仰向けの状態で楽に歩行に似た運動をすることが出来るという効果がある。この場合、ふくらはぎ部分を弾性部材から成るボールの上部にある保持部に落とす力を変化させることによって、ゆっくりとした動作からリズミカルで早い動作まで幅広くその運動強度を自分自身で調整することが出来る効果があり、上記のようにこの運動強度は弾性部材から成るボールの反発力を利用するため高齢者や障害のある人にも容易に行うことが出来る効果がある。
【００１４】
また、これらの座位やその他の姿勢を取る際には、ボールの外側は保持部で被われているため、肌が直接ボールに接することが無く、このためべた付いたり冷たく感じたりすることが無いという効果がある。特に保持部や舌片部のシート状体が織物地や編み物地等の布地である場合はその効果が顕著である。
【００１５】
さらには、本発明の構成部材である保持部と舌片部は変形自在のシート状体であるため、容易に小さく折りたたむことが出来、携帯持ち運びに優れるという効果がある。特に保持部に保持されるボールは空気を注入して膨らませた弾性部材から成るボールであるため、注入した空気を抜けば該ボールは小さく折り畳むことができ、本発明であるボールカバーと合わせて容易に持ち運ぶことが出来る効果がある。加えて、舌片部は変形自在であるため、ベッドや布団等の柔らかい面の上に配置して、上記姿勢を取ったりストレッチをしたり、歩行運動をすることが出来るという効果がある。
【００１６】
上記効果は、本発明であるボールカバーの用途が広いことを示していて、家庭での座椅子等の代替品としての実用的用途を有するだけでなくエクササイズ用途としての趣味的用途にも適している。特には非常災害時の避難場所等では例えば体育館や畳の上に直接座ったり睡眠をとることが多く、この際床は硬いため背中等に痛みなどの障害を発生することがあるが、本発明のボールカバーとボールを使用すればこのような障害を予防することが出来ると共に、避難場所で誰でもが簡単にエクササイズ（又は気分転換ストレス解消）を行うことが出来る効果がある。したがって、本発明のボールカバー（ボールを含め）は非常災害時の持ち物にも適し、また公共の非常災害時の備蓄用品としても最適であるという効果がある。
【図面の簡単な説明】
【００１７】
【図１】本発明に係るボールカバーの保持部にボールを保持していない状態で保持部の開口部を開いている状態斜視図である。
【図２】本発明に係るボールカバーの保持部でボールを保持させようとしている状態斜視図である。
【図３】本発明に係るボールカバーの保持部にボールを保持している状態の状態斜視図である。
【図４】本発明に係るボールカバーの保持部にボールを保持し、舌片部に座り、保持部に背中をもたれかけて座位の状態にあることを示す状態図である。
【図５】本発明に係るボールカバーの保持部にボールを保持し、舌片部に座り、保持部に背中をもたれかけた座位の状態から、ボールの曲面に沿って背中を伸ばして伸身させて大きくストレッチしている状態を示す状態図である。
【図６】本発明に係るボールカバーの保持部にボールを保持し、舌片部に臀部を置き、体側面をボールの形状に沿って変形している保持部に沿わせ、腕をボールの上部となる位置に載せることにより横臥位の姿勢を取っている状態を示す状態図である。
【図７】本発明に係るボールカバーの保持部にボールを保持し、舌片部に背中を接し、両足のふくらはぎ部分をボールの上部位置にある保持部に載せることにより仰臥位状態にあることを示す状態図である。
【発明を実施するための形態】
【００１８】
次に本発明に係るボールカバーを実施するための形態に関し、図１乃至図７に示したボールカバーの一実施例に基づき詳細に説明する。
【実施例】
【００１９】
図１は、本発明に係るボールカバー１の保持部２にボール１０を保持していない状態で保持部２の開口部２ａを開いている状態斜視図であり、保持部２は後述するボール１０がちょうど中に収まる大きさの袋状に形成されている。該保持部２には図１において手前側に人が座ることができる程度の大きさの四角形状の舌片部３が連接され、開口部２ａにはその全周にわたって一定幅の袋状部２ｂが設けられている。該袋状部２ｂには切り欠き部２ｃ、２ｄが設けられ、これらを形成している保持部２及び舌片部３は変形自在のシート状体で形成されていて、具体的には本実施例では織物地又は編み物地で形成されている。織物地又は編み物地を使用することでボール１０が優しく包み込まれ、本発明のボールカバー１を使用して座位、横臥位、仰臥位等を取ったり、ストレッチやエクササイズを行う際に、直接肌がボール１０に接することが無くなると共に、肌が該織物地又は編み物地に接するため、従来のように直接ボール１０に肌が接することでべた付いたり冷たく感じるようなことが無くなる。また特にエクササイズを行う際には汗が本保持部２と舌片部３によって形成されたボールカバー１に吸い取られるため、周囲を汗等で汚すことがなく、また汗が染み込んだボールカバー１は容易に洗濯機等で洗うことが出来て清潔性を保つことが出来る。
【００２０】
袋状部２ｃの内側には開口部２ａの全周に沿うように閉じ紐４及び５が挿通されていて、閉じ紐４の両端部は切り欠き部２ｃより袋状部２ｂから排出されて結び合わされ、閉じ紐５の両端部は切り欠き部２ｄより袋状部２ｂから排出されて結び合わされている。したがって少なくとも閉じ紐４又は５のどちらかを袋状部２ｃより引き出せば開口部２ａは閉じるようになっている。
【００２１】
本実施例では、まず開口部２ａを大きく開いて図１のように成し、次に空気を注入して膨らませた弾性部材から成るボール１０を別途用意して図２のように開口部２ａの外側から開口部２ａを介して保持部２内に収納させる。ボール１０を保持部２に収納後、２本の閉じ紐４及び５を袋状部２ｃより引き出せば開口部２ａは閉じ、その状態で閉じ紐４と５の両端部を結び合わせることでボール１０は図３に示すように保持部２に保持されるように成っている。
【００２２】
次に、本発明のボールカバー１と別途用意したボール１０にて形成された図３の状態のボールカバー１の使用方法について説明する。
【００２３】
まず図４に示すように、人２０は舌片部４に座り保持部２（内側にボール１０がある）に背中をもたれさせれば、楽に座位をとることができ、ボール１０の弾性により非常に心地よくリラックスした状態になることが出来る。仮に保持するボール１０が背中を凭れさせることが出来ないくらいの小さなボールである場合は、舌片部４に座り該小さなボール１０を背中に当たるように仰臥位を取ることで、背中のつぼ等を該小さなボール１０で刺激することが出来、該小さなボール１０は保持部２内に保持されて、あらぬ方向に転がっていくことが無い。したがって本ボールカバー１の保持部２に保持するボール１０の大きさは保持部２に保持できる大きさであれば、どのような大きさのボールであっても良い。もちろん保持部２の大きさは保持するボールの大きさに応じて、該ボールの大きさに丁度あった大きさ（本実施例では、閉じ紐4及び５を袋状部２ｃより引き出して開口部２ａを閉じた際、開口部２ａがわずかに開いている状態）とするのが、本ボールカバー１を使用する際に使い勝って及び使い心地がよいものとなり、好ましい。
【００２４】
次に図５に示すように、図４に示す座位の状態から背中をボール１０の曲面に沿って伸ばしながら伸身させることで、座りながら大きくストレッチすることが出来る。特にこのストレッチはボール１０の弾力性が背中に伝わり気持ちのよい状態となる。
【００２５】
次に、図６に示すように、舌片部４に腰から下の部分を置きながら体側面をボール１０の曲面形状に沿わせ、腕をボール１０の上部となる位置に乗せることにより横臥位の姿勢をとることが出来る。ここでボール１０の上部にある腕でボール１０を保持するようにすれば、足を上下することでエクササイズすることが出来る。
【００２６】
次に、図７に示すように、舌片部４に背中を接し、両足のふくらはぎ部分をボールの上部位置にある保持部２に載せることにより、足が心臓より上部位置となって極めてリラックスした状態になることが出来る。この状態で両足を交互に上下すれば、足はボール１０の弾性による反発力によって容易に弾んで上下動し、エクササイズの状態となる。特に本エクササイズは足の筋力が不足している高齢者等でも容易に行うことが出来る。また両足交互の上下動にあわせて腕を交互に移動させれば、仰臥位の状態で歩行運動のようなエクササイズをすることができ、毎日これを続けることによってダイエットの効果を期待することが出来る。
【００２７】
以上の説明で明らかなように、本発明のボールカバーは多様な使い方が出来ると共にコンパクトに収納することができ、極めて付加価値の高いボールカバーである。
【符号の説明】
【００２８】
１  ボールカバー
２  保持部
２ａ  開口部
２ｂ  袋状部
２ｃ  切り欠き部
２ｄ  切り欠き部
３  舌片部
４  閉じ紐
５  閉じ紐
１０  ボール
２０  人
【要約】      （修正有）【課題】座位、横臥位、仰臥位等の多様で楽な姿勢を取ることができ、これらの姿勢を取っている時でも直接肌がボールに接しないためべた付いたり冷たく感じたりすることが無く、多様な姿勢でストレッチやエクササイズを行うことができると共に該エクササイズを行ってもボールカバー及びボールカバーに保持されているボールが移動することが無く、小さく折り畳む等が可能で携帯持ち運びに便利であると共に、床面だけでなくベッドや布団等の柔らかい面の上に配置させても使用することが出来るボールカバーを提供する。【解決手段】空気を注入して膨らませた弾性部材から成るボールのボールカバー１であって、ボールの外側を被ってボールを保持する保持部２と、保持部２に連接した舌片部３とから成り、舌片部３の上に座ることが可能に形成され、保持部２と舌片部３は変形自在のシート状体で形成されるボールカバー１である。【選択図】図１【図１】
0005702498.tif 000002
【図２】
0005702498.tif 000003
【図３】
0005702498.tif 000004
【図４】
0005702498.tif 000005
【図５】
0005702498.tif 000006
【図６】
0005702498.tif 000007
【図７】
0005702498.tif 000008